(57)【要約】【課題】断熱材の穴開け作業を廃止し、断熱材による水の吸収を防ぐ。【解決手段】本発明は、外箱３０と外箱３０の内側に配された内箱４０とを有し、外箱３０と内箱４０の間に充填空間１６が形成された断熱箱体１２と、第１配線を有し、断熱箱体１２に装着された第１電装品と、充填空間１６とは隔離された配線空間５７を有する配線挿通部材５０と、を備え、配線挿通部材５０が断熱箱体１２に装着された状態で充填空間１６に断熱材１７が充填される冷却貯蔵庫１０であって、配線挿通部材５０は、内箱４０に接触した状態で第１配線を上下方向に挿通させる第１配線部５１と、上方に開口した上面開口５４を有し上面開口５４の開口縁が外箱３０に接触した状態で充填空間１６の前端まで延びる形態とされており、かつ第１配線を前後方向に挿通させる第２配線部５２と、を備え、外箱３０は、配線挿通部材５０の上面開口５４と一致して設けられた穴開け部３５を備えた構成とした。【選択図】図４
2019143884.tif 000002
【特許請求の範囲】
【請求項１】
外箱と前記外箱の内側に配された内箱とを有し、前記外箱と前記内箱の間に充填空間が形成された断熱箱体と、
第１配線を有し、前記断熱箱体に装着された第１電装品と、
前記充填空間とは隔離された配線空間を有する配線挿通部材と、を備え、
前記配線挿通部材が前記断熱箱体に装着された状態で前記充填空間に断熱材が充填される冷却貯蔵庫であって、
前記配線挿通部材は、前記内箱に接触した状態で前記第１配線を上下方向に挿通させる第１配線部と、上方に開口した上面開口を有し前記上面開口の開口縁が前記外箱に接触した状態で前記充填空間の前端まで延びる形態とされており、かつ前記第１配線を前後方向に挿通させる第２配線部と、を備え、
前記外箱は、前記配線挿通部材の前記上面開口と重複して設けられた穴開け部を備えた冷却貯蔵庫。
【請求項２】
前方に開口した前記外箱の開口部と前方に開口した前記内箱の開口部とを連結して前記充填空間を閉塞するジョイナと、
前記断熱箱体の開口部における前記ジョイナの下方に設けられたセンターフレームと、を備え、
前記第１電装品は、第２配線を有し前記センターフレームの内部に装着された第２電装品を含み、
前記配線挿通部材は、前記ジョイナに接触した状態で前記第２配線を上下方向に挿通させる第３配線部をさらに備えた請求項１に記載の冷却貯蔵庫。
【請求項３】
前記外箱は、前記充填空間を前方から覆う前壁と、前記充填空間を上方から覆う上壁と、前記前壁に固定された取付壁と、を有し、前記穴開け部は前記上壁に設けられており、
前記第２配線部は、前記取付壁に前方から係止する前側係止片と、前記取付壁に後方から係止する後側係止片と、を有している請求項２に記載の冷却貯蔵庫。
【請求項４】
前記第１配線部は、前記内箱に貫通して設けられた第１貫通孔に上方から挿し込まれる第１挿し込み突部と、前記第１挿し込み突部が前記内箱を貫通して前記内箱の内部に挿し込まれた状態で前記第１貫通孔の開口縁部に接触する第１フランジ部と、を有している請求項２または請求項３のいずれか一項に記載の冷却貯蔵庫。
【請求項５】
前記第３配線部は、前記ジョイナに貫通して設けられた第３貫通孔に上方から挿し込まれる第３挿し込み突部と、前記第３挿し込み突部が前記ジョイナを貫通して前記センターフレームの内部に挿し込まれた状態で前記第３貫通孔の開口縁部に接触する第３フランジ部と、を有している請求項２から請求項４のいずれか一項に記載の冷却貯蔵庫。
【発明の詳細な説明】
【技術分野】
【０００１】
本発明は、冷却貯蔵庫に関する。
【背景技術】
【０００２】
従来、冷却貯蔵庫の断熱箱体を構成する内箱と外箱との間に断熱材を充填したものとして、下記特許文献１に記載されたものが知られている。断熱材にはドリルで穴が開けられており、この穴には配線が通されている。
【先行技術文献】
【特許文献】
【０００３】
【特許文献１】特開平８−５４１７３号公報
【発明の概要】
【発明が解決しようとする課題】
【０００４】
しかしながら、一般に断熱材としては発泡剤が用いられており、発泡剤に穴を開けると、穴の内壁が外部に露出することで発泡剤が水を吸収しやすくなるとともに、配線を穴に通す際に配線が発泡剤に引っ掛かって通しにくくなる。また、発泡剤を充填することで断熱材を形成した後にドリルで穴を開けるという作業が必要になるため、冷却貯蔵庫の組み立て作業が煩雑になる。
【０００５】
本発明は上記のような事情に基づいて完成されたものであって、断熱材の穴開け作業を廃止するとともに断熱材による水の吸収を防ぐことを目的とする。
【課題を解決するための手段】
【０００６】
本発明は、外箱と前記外箱の内側に配された内箱とを有し、前記外箱と前記内箱の間に充填空間が形成された断熱箱体と、第１配線を有し、前記断熱箱体に装着された第１電装品と、前記充填空間とは隔離された配線空間を有する配線挿通部材と、を備え、前記配線挿通部材が前記断熱箱体に装着された状態で前記充填空間に断熱材が充填される冷却貯蔵庫であって、前記配線挿通部材は、前記内箱に接触した状態で前記第１配線を上下方向に挿通させる第１配線部と、上方に開口した上面開口を有し前記上面開口の開口縁が前記外箱に接触した状態で前記充填空間の前端まで延びる形態とされており、かつ前記第１配線を前後方向に挿通させる第２配線部と、を備え、前記外箱は、前記配線挿通部材の前記上面開口と一致して設けられた穴開け部を備えた構成とした。
【０００７】
このような構成によると、配線挿通部材を断熱箱体に装着し、第１配線を第１配線部から第２配線部の上方に引き出す。このとき、第２配線部が上面開口を有し、外箱が穴開け部を有しているから、第１配線を外箱の上方に引き出すことが可能になり、配線作業が容易になる。次に、上面開口から一旦上方に引き出された第１配線を上面開口側に曲げて充填空間の前端よりも前方へ引き出す。また、配線挿通部材の配線空間は断熱箱体の充填空間とは隔離されているため、充填空間に断熱材を充填しても配線空間に断熱材が充填されることはない。すなわち、断熱材を形成した後に断熱材にドリル等で穴を開けるという作業が不要になり、冷却貯蔵庫の組み立て作業が容易になる。さらに、水を吸収しやすい発泡剤等を断熱材として使用した場合でも、断熱材が外箱および内箱に覆われて外部に露出しないことから、断熱材による水の吸収を防ぐことができる。
【０００８】
また、前方に開口した前記外箱の開口部と前方に開口した前記内箱の開口部とを連結して前記充填空間を閉塞するジョイナと、前記断熱箱体の開口部における前記ジョイナの下方に設けられたセンターフレームと、を備え、前記第１電装品は、第２配線を有し前記センターフレームの内部に装着された第２電装品を含み、前記配線挿通部材は、前記センターフレームの内部から前記第２配線部へ前記第２配線を引き出す第３配線部をさらに備えた構成としてもよい。
このような構成によると、第２配線を第３配線部から第２配線部の上方に一旦引き出した後、上面開口側に曲げることで外箱の前方へ引き出すことができる。
【０００９】
また、前記外箱は、前記充填空間を前方から覆う前壁と、前記充填空間を上方から覆う上壁と、前記前壁に固定された取付壁と、を有し、前記穴開け部は前記上壁に設けられており、前記第２配線部は、前記取付壁に前方から係止する前側係止片と、前記取付壁に後方から係止する後側係止片と、を有している構成としてもよい。
このような構成によると、配線挿通部材の第２配線部が穴開け部を通して外箱の上方に露出するから、配線挿通部材を外箱の上壁に装着した後に第１配線の配線作業を行うことができる。また、前側係止片が取付壁に前方から係止し、後側係止片が取付壁に後方から係止するから、配線挿通部材を外箱の取付壁に対して前後方向に位置決めできる。
【００１０】
前記第１配線部は、前記内箱に貫通して設けられた第１貫通孔に上方から挿し込まれる第１挿し込み突部と、前記第１挿し込み突部が前記内箱を貫通して前記内箱の内部に挿し込まれた状態で前記第１貫通孔の開口縁部に接触する第１フランジ部と、を有している構成としてもよい。
このような構成によると、第１挿し込み突部を第１貫通孔に上方から挿し込み第１フランジ部を第１貫通孔の開口縁部に接触させることで第１配線部を内箱に対して上下方向に位置決めできる。
【００１１】
前記第３配線部は、前記ジョイナに貫通して設けられた第３貫通孔に上方から挿し込まれる第３挿し込み突部と、前記第３挿し込み突部が前記ジョイナを貫通して前記センターフレームの内部に挿し込まれた状態で前記第３貫通孔の開口縁部に接触する第３フランジ部と、を有している構成としてもよい。
このような構成によると、第３挿し込み突部を第３貫通孔に上方から挿し込み第３フランジ部を第３貫通孔の開口縁部に接触させることで第３配線部をジョイナに対して上下方向に位置決めできる。
【発明の効果】
【００１２】
本発明によれば、断熱材の穴開け作業を廃止することができ、断熱材による水の吸収を防ぐことができる。
【図面の簡単な説明】
【００１３】
【図１】本発明の実施形態に係る冷却貯蔵庫を示す分解斜視図
【図２】冷却貯蔵庫を縦方向に切断した状態を斜め前方から見た断面図
【図３】図２の要部拡大図
【図４】配線挿通部材の周辺構造を示した断面図
【図５】配線挿通部材の斜視図
【図６】配線挿通部材の正面図
【図７】配線挿通部材の平面図
【図８】配線挿通部材の側面図
【図９】図６のＡ−Ａ線断面図
【図１０】第１配線と第２配線の配線状態を示した冷却貯蔵庫の平面図
【図１１】図１０の要部拡大図
【図１２】断熱箱体の正面図
【図１３】断熱箱体の右側面図
【図１４】断熱箱体の左側面図
【発明を実施するための形態】
【００１４】
＜実施形態＞
本発明の実施形態を図１から図１４の図面を参照しながら説明する。本実施形態では、図１に示すように、２ドア式の冷却貯蔵庫１０を例示する。冷却貯蔵庫１０は、図１および図１２に示すように、貯蔵物が配される貯蔵室１１を有する断熱箱体１２と、断熱箱体１２の図示左方に配された機械室２０と、を備える。断熱箱体１２は図示手前側に開口する形態とされ、断熱箱体１２の開口部における中央部には、図示上下方向に延びるセンターフレーム１３が取り付けられている。センターフレーム１３の両側には、一対の扉１４、１４が回動可能に取り付けられており、貯蔵室１１は一対の扉１４、１４によって開閉可能な構成となっている。なお、以下の説明では、扉１４側が前側、扉１４とは反対側が後側として説明する。また、正面視（冷却貯蔵庫１０を前側から見た状態）における左右方向が冷却貯蔵庫１０の左右方向である。
【００１５】
機械室２０は、図１に示すように、冷却装置２１と、電装箱２２と、フロントパネル２３と、サイドパネル２４と、を備えて構成されている。冷却装置２１および電装箱２２は、フロントパネル２３によって前方から覆われるとともに、サイドパネル２４によって側方から覆われている。また、機械室２０の上方には、断熱箱体１２を構成する外箱３０が配されており、外箱３０の上面部分を構成する上壁３１は天板１５によって覆われるものとされている。冷却装置２１は、詳細には説明しないものの、凝縮器と、凝縮器ファンと、圧縮機と、を備えて構成され、断熱箱体１２の上部に配された冷却器とは冷媒管によって循環接続されている。これにより、冷却装置２１が駆動することで冷却器が冷気を生成し、この冷気が庫内ファンによって貯蔵室１１内に循環供給される。
【００１６】
断熱箱体１２は、外箱３０と、外箱３０の内側に配された内箱４０と、を備え、外箱３０と内箱４０の間に充填空間１６が形成されている。この充填空間１６には、図４に示すように、配線挿通部材５０が装着されている。配線挿通部材５０には、後述する庫内灯配線６１とヒーター配線７１が通されており、これらの配線６１、７１が通される配線空間５７は、断熱箱体１２の充填空間１６とは隔離されている。したがって、断熱箱体１２の充填空間１６に、発泡剤からなる断熱材１７を充填しても、配線空間５７には断熱材１７が充填されないようになっている。このため、充填空間１６に断熱材１７を充填した後に、この断熱材１７にドリル等で穴を開ける作業が不要となっている。また、断熱材１７に穴が形成されないため、断熱材１７が外箱３０および内箱４０に覆われる結果、断熱材１７が外部に露出することを防ぐとともに、断熱材１７による水の吸収を防ぐことができるようになっている。
【００１７】
外箱３０は、図４に示すように、充填空間１６を前方から覆う前壁３２と、充填空間１６を上方から覆う上壁３１と、を有している。上壁３１は平板状をなすのに対して、前壁３２は内側に折り返された形状とされ、前壁３２の内部には各配線６１、７１を通すための配線空間３２Ｅが形成されている。具体的には前壁３２は、上壁３１と面一をなして前方に延びる上面部分３２Ａと、上面部分３２Ａの前縁から斜め下方に延びる前面部分３２Ｂと、前面部分３２Ｂの下縁から後方に延びる下面部分３２Ｃと、下面部分３２Ｃの後縁から上方に延びる後面部分３２Ｄと、を備えて構成されている。つまり、上面部分３２Ａと前面部分３２Ｂと下面部分３２Ｃと後面部分３２Ｄとによって囲まれた部分が配線空間３２Ｅである。
【００１８】
前壁３２の後面部分３２Ｄの後面部分には、取付壁３３がボルト止めによって固定されている。取付壁３３は、後面部分３２Ｄにボルト止めされた前面部分３３Ａと、前面部分３３Ａの下縁から後方に延びる下面部分３３Ｂと、下面部分３３Ｂの後縁から上方に延びる後面部分３３Ｃと、を備えて構成されている。下面部分３３Ｂには、センターフレーム１３がボルト止めによって固定されている。なお、センターフレーム１３は、ヒーター７０が装着された前面部分１３Ａと、取付壁３３の下面部分３３Ｂにボルト止めされた上面部分１３Ｂと、を備えて構成されている。ヒーター７０は、センターフレーム１３の前面部分１３Ａの外面で結露することを防止するためのものであり、前面部分１３Ａの内面に装着されている。ヒーター７０にはヒーター配線７１が上方に引き出されている。
【００１９】
内箱４０は外箱３０の内側に配されており、図４に示すように、庫内灯６０が装着された上壁４１と、上壁４１の前縁から下方に延びる前壁４２と、前壁４２の下縁から前方に延びる下壁４３と、を備えて構成されている。内箱４０の上壁４１と下壁４３は、いずれも外箱３０の上壁３１と対向する配置とされている。内箱４０の下壁４３と外箱３０の取付壁３３の下面部分３３Ｂとは、隙間３４を介して同じ高さに配されており、隙間３４にはジョイナ８０が装着されている。ジョイナ８０によって充填空間１６が閉塞されている。言い換えると、外箱３０の開口部と内箱４０の開口部とはジョイナ８０によって連結されている。
【００２０】
ジョイナ８０は、隙間３４を塞ぐジョイナ本体８１と、外箱３０の開口部（取付壁３３の後面部分３３Ｃの上端部）に嵌合する前側取付部８２と、内箱４０の開口部（下壁４３の前端部）に嵌合する後側取付部８３と、を備えて構成されている。前側取付部８２によってジョイナ８０が前後方向に位置決めされ、後側取付部８３によってジョイナ８０が上下方向に位置決めされている。
【００２１】
ジョイナ本体８１には、第３貫通孔８４が上下方向に貫通して設けられている。第３貫通孔８４は、ヒーター７０のヒーター配線７１を通す孔である。一方、内箱４０の上壁４１には、第１貫通孔４４が上下方向に貫通して設けられている。第１貫通孔４４は、内箱４０の上壁４１の内面に装着された庫内灯６０の庫内灯配線６１を通す孔である。
【００２２】
配線挿通部材５０は、図５に示すように、円筒状をなす第１配線部５１と、第１配線部５１とともにＬ字状をなすように形成された第２配線部５２と、円筒状をなして第２配線部５２に連結された第３配線部５３と、を備えて構成されている。第１配線部５１は、第２配線部５２の一端側に位置し、庫内灯配線６１を上下方向に挿通させる。第２配線部５２は、庫内灯配線６１を前後方向に挿通させる。第３配線部５３は、第２配線部５２の他端側に位置し、ヒーター配線７１を上下方向に挿通させる。図８に示すように、配線挿通部材５０は、側面視において略門形とされ、第３配線部５３の方が第１配線部５１よりも長い。
【００２３】
第１配線部５１は、第１挿し込み突部５１Ａと、第１フランジ部５１Ｂと、を有している。第１挿し込み突部５１Ａは、第１配線部５１の下端部に位置しており、第１フランジ部５１Ｂは、第１挿し込み突部５１Ａの基端部（上端部）において全周に亘って径方向に張り出す形態とされている。同様に、第３配線部５３は、第３挿し込み突部５３Ａと、第３フランジ部５３Ｂと、を有している。第３挿し込み突部５３Ａは、第３配線部５３の下端部に位置しており、第３フランジ部５３Ｂは、第３挿し込み突部５３Ａの基端部（上端部）において全周に亘って径方向に張り出す形態とされている。第３挿し込み突部５３Ａは、第１挿し込み突部５１Ａよりも長くなっている。
【００２４】
配線挿通部材５０が充填空間１６に収容された状態では、図４に示すように、第１挿し込み突部５１Ａは、内箱４０の第１貫通孔４４に上方から挿し込まれて上壁４１を貫通するとともに、第１フランジ部５１Ｂは、内箱４０の上壁４１の外面に接触するようになっている。一方、第３挿し込み突部５３Ａは、ジョイナ８０の第３貫通孔８４に上方から挿し込まれてジョイナ本体８１を貫通するとともに、第３フランジ部５３Ｂは、ジョイナ８０のジョイナ本体８１の上面（充填空間１６側の面）に接触するようになっている。これにより、配線挿通部材５０は内箱４０に対して上下方向に位置決めされる。
【００２５】
第２配線部５２は、図５に示すように、上方に開口した上面開口５４と、前方に開口した前面開口５５と、を有している。上面開口５４は、上方に開口するとともに前方に開口している。上面開口５４の開口縁には第２フランジ部５４Ａが全周に亘って張り出す形態で設けられている。一方、前面開口５５は、図６に示すように、前方視において略Ｕ字状をなして上方に開口している。前面開口５５の開口縁には前側係止片５５Ａが全周に亘って張り出す形態で設けられている。第２フランジ部５４Ａの前縁には、後側係止片５４Ｂが下方に突出して設けられている。図９に示すように、後側係止片５４Ｂは第２配線部５２の外面に連結され、前側係止片５５Ａと後側係止片５４Ｂの間には切り欠き５６が形成されている。
【００２６】
配線挿通部材５０が充填空間１６に収容された状態では、図４に示すように、第２フランジ部５４Ａが外箱３０の上壁３１の内面（充填空間１６側の面）に接触する。これにより、配線挿通部材５０が外箱３０に対して上下方向に位置決めされる。また、切り欠き５６には取付壁３３の前面部分３３Ａが嵌合しており、前側係止片５５Ａが前面部分３３Ａに前方から係止するとともに、後側係止片５４Ｂが前面部分３３Ａに後方から係止する。これにより、配線挿通部材５０が外箱３０に対して前後方向に位置決めされる。
【００２７】
図３に示すように、外箱３０の上壁３１は、配線挿通部材５０の上面開口５４に一致して設けられた穴開け部３５を有している。穴開け部３５は、上壁３１を上下方向に貫通するとともに前方に開口している。よって、庫内灯６０の庫内灯配線６１は、図３の二点鎖線で示すように、第１配線部５１の内部から上面開口５４および穴開け部３５を通過して外箱３０の上方に一旦引き出される。外箱３０の上方に引き出された庫内灯配線６１は上面開口５４側に曲げられて第２配線部５２の内部に収容され、前面開口５５から配線挿通部材５０の前方に引き出される。配線挿通部材５０の前方に引き出された庫内灯配線６１は、図２に示すように、機械室２０側に曲げられて外箱３０の前壁３２の配線空間３２Ｅを通って機械室２０側に案内され、フロントパネル２３の後方に回り込んで電装箱２２に接続されている。
【００２８】
図３に示すように、ヒーター７０の２本のヒーター配線７１は、図３における二点鎖線で示すように、第３配線部５３の内部から上面開口５４および穴開け部３５を通過して外箱３０の上方に一旦引き出される。外箱３０の上方に引き出されたヒーター配線７１は上面開口５４側に曲げられて第２配線部５２の内部に収容され、前面開口５５から配線挿通部材５０の前方に引き出される。配線挿通部材５０の前方に引き出されたヒーター配線７１は、図２に示すように、機械室２０側に曲げられて外箱３０の前壁３２の配線空間３２Ｅを通って機械室２０側に案内され、フロントパネル２３の背面側を通って電装箱２２に接続されている。このようにして庫内灯配線６１およびヒーター配線７１の配線作業が完了したら、天板１５が外箱３０の上壁３１および前壁３２に被せられ、穴開け部３５が閉塞される。
【００２９】
以上のように本実施形態では、配線挿通部材５０を断熱箱体１２に装着し、第１配線（庫内灯配線６１）を第１配線部５１から第２配線部５２の上方に引き出す。このとき、第２配線部５２が上面開口５４を有し、外箱３０が穴開け部３５を有しているから、第１配線を外箱３０の上方に引き出すことが可能になり、配線作業が容易になる。次に、上面開口５４から一旦上方に引き出された第１配線を上面開口５４側に曲げて充填空間１６の前端よりも前方へ引き出す。また、配線挿通部材５０の配線空間５７は断熱箱体１２の充填空間１６とは隔離されているため、充填空間１６に断熱材１７を充填しても配線空間５７に断熱材１７が充填されることはない。すなわち、断熱材１７を形成した後に断熱材１７にドリル等で穴を開けるという作業が不要になり、冷却貯蔵庫１０の組み立て作業が容易になる。さらに、水を吸収しやすい発泡剤等を断熱材１７として使用した場合でも、断熱材１７が外箱３０および内箱４０に覆われて外部に露出しないことから、断熱材１７による水の吸収を防ぐことができる。
【００３０】
また、前方に開口した外箱３０の開口部と前方に開口した内箱４０の開口部とを連結して充填空間１６を閉塞するジョイナ８０と、断熱箱体１２の開口部におけるジョイナ８０の下方に設けられたセンターフレーム１３と、を備え、第１電装品は、第２配線（ヒーター配線７１）を有しセンターフレーム１３の内部に装着された第２電装品（ヒーター７０）を含み、配線挿通部材５０は、センターフレーム１３の内部から第２配線部５２へ第２配線を引き出す第３配線部５３をさらに備えた構成としてもよい。
このような構成によると、第２配線を第３配線部５３から第２配線部５２の上方に一旦引き出した後、上面開口５４側に曲げることで外箱３０の前方へ引き出すことができる。
【００３１】
また、外箱３０は、充填空間１６を前方から覆う前壁３２と、充填空間１６を上方から覆う上壁３１と、前壁３２に固定された取付壁３３と、を有し、穴開け部３５は上壁３１に設けられており、第２配線部５２は、取付壁３３に前方から係止する前側係止片５５Ａと、取付壁３３に後方から係止する後側係止片５４Ｂと、を有している構成としてもよい。
このような構成によると、配線挿通部材５０の第２配線部５２が穴開け部３５を通して外箱３０の上方に露出するから、配線挿通部材５０を外箱３０の上壁３１に装着した後に第１配線の配線作業を行うことができる。また、前側係止片５５Ａが取付壁３３に前方から係止し、後側係止片５４Ｂが取付壁３３に後方から係止するから、配線挿通部材５０を外箱３０の取付壁３３に対して前後方向に位置決めできる。
【００３２】
第１配線部５１は、内箱４０に貫通して設けられた第１貫通孔４４に上方から挿し込まれる第１挿し込み突部５１Ａと、第１挿し込み突部５１Ａが内箱４０を貫通して内箱４０の内部に挿し込まれた状態で第１貫通孔４４の開口縁部に接触する第１フランジ部５１Ｂと、を有している構成としてもよい。
このような構成によると、第１挿し込み突部５１Ａを第１貫通孔４４に上方から挿し込み第１フランジ部５１Ｂを第１貫通孔４４の開口縁部に接触させることで第１配線部５１を内箱４０に対して上下方向に位置決めできる。
【００３３】
第３配線部５３は、ジョイナ８０に貫通して設けられた第３貫通孔８４に上方から挿し込まれる第３挿し込み突部５３Ａと、第３挿し込み突部５３Ａがジョイナ８０を貫通してセンターフレーム１３の内部に挿し込まれた状態で第３貫通孔８４の開口縁部に接触する第３フランジ部５３Ｂと、を有している構成としてもよい。
このような構成によると、第３挿し込み突部５３Ａを第３貫通孔８４に上方から挿し込み第３フランジ部５３Ｂを第３貫通孔８４の開口縁部に接触させることで第３配線部５３をジョイナ８０に対して上下方向に位置決めできる。
【００３４】
＜他の実施形態＞
本発明は上記記述及び図面によって説明した実施形態に限定されるものではなく、例えば次のような実施形態も本発明の技術的範囲に含まれる。
（１）上記実施形態ではセンターフレーム１３の内部にヒーター７０が設けられた冷却貯蔵庫１０を例示しているものの、センターフレーム１３の内部にヒーター７０が設けられていない冷却貯蔵庫としてもよい。その場合、配線挿通部材５０に第３配線部５３を設けなくてもよい。また、上記実施形態では庫内灯６０とヒーター７０の双方が設けられた冷却貯蔵庫１０を例示しているものの、庫内灯６０とヒーター７０のいずれか一方のみが設けられた冷却貯蔵庫としてもよい。
（２）上記実施形態では前側係止片５５Ａと後側係止片５４Ｂの間に形成された切り欠き５６に取付壁３３の前面部分３３Ａが嵌合しているものの、切り欠き５６に前壁３２の後面部分３２Ｄが嵌合するものとしてもよい。
（３）上記実施形態では第１配線部５１が第１挿し込み突部５１Ａを有しているものの、庫内灯に第１挿し込み突部を設け、この第１挿し込み突部を第１配線部の内部に挿し込んでもよい。
（４）上記実施形態では第３配線部５３が第３挿し込み突部５３Ａを有しているものの、ジョイナに第３挿し込み突部を設け、この第３挿し込み突部を第３配線部の内部に挿し込んでもよい。
（５）上記実施形態では第１配線部５１の第１フランジ部５１Ｂが内箱４０の上壁４１に直接的に接触しているものの、第１フランジ部５１Ｂがシールなどの別部材を介在させて上壁４１に間接的に接触しているものとしてもよい。また、上記実施形態では第３配線部５３の第３フランジ部５３Ｂがジョイナ８０を介在させて内箱４０の下壁４３に間接的に接触しているものの、第３フランジ部５３Ｂが下壁４３に直接的に接触しているものとしてもよい。すなわち、請求項１の「前記内箱に接触した状態で」における「接触」とは、別部材を介在させて間接的に接触していても実質的に対応する位置関係にあれば「接触」に含まれるものとする。請求項２以降の「接触」についても同様に解釈するものとする。
（６）上記実施形態では上面開口５４の第２フランジ部５４Ａが外箱３０の上壁３１に直接的に接触しているものの、第２フランジ部５４Ａがシールなどの別部材を介在させて上壁３１に間接的に接触しているものとしてもよい。
【符号の説明】
【００３５】
１０…冷却貯蔵庫  １２…断熱箱体  １３…センターフレーム  １６…充填空間  １７…断熱材  ３０…外箱  ３１…上壁  ３２…前壁  ３３…取付壁  ３５…穴開け部  ４０…内箱  ５０…配線挿通部材  ５１…第１配線部  ５１Ａ…第１挿し込み突部  ５１Ｂ…第１フランジ部  ５２…第２配線部  ５３…第３配線部  ５３Ａ…第３挿し込み突部  ５３Ｂ…第３フランジ部  ５４…上面開口  ５４Ａ…第２フランジ部（上面開口５４の開口縁）  ５４Ｂ…後側係止片  ５５Ａ…前側係止片  ５７…配線空間  ６０…庫内灯（第１電装品）  ６１…庫内灯配線（第１配線）  ７０…ヒーター（第１電装品、第２電装品）  ７１…ヒーター配線（第２配線）  ８０…ジョイナ  ８４…第３貫通孔
【図１】
2019143884.tif 000003
【図２】
2019143884.tif 000004
【図３】
2019143884.tif 000005
【図４】
2019143884.tif 000006
【図５】
2019143884.tif 000007
【図６】
2019143884.tif 000008
【図７】
2019143884.tif 000009
【図８】
2019143884.tif 000010
【図９】
2019143884.tif 000011
【図１０】
2019143884.tif 000012
【図１１】
2019143884.tif 000013
【図１２】
2019143884.tif 000014
【図１３】
2019143884.tif 000015
【図１４】
2019143884.tif 000016